(57)【特許請求の範囲】
【請求項１】
少なくとも１組の複数のスラットが枠面内に配置され、これらのスラットを揺動させる揺動機構を備えると共に、建物の窓部に固定される窓用外装装置において、
該揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、そのバー部材の回転力が伝達される第２の伝達部材とからなり、
前記ねじりバーは、薄板状の棒材の一端に対する他端の回転角度を所定のねじれ角に形成すると共に、前記ねじりバーの両端をそれぞれ回転軸に固定し、これらの回転軸を軸受けに取付けると共に、前記ねじりバーと前記第１の伝達部材間に一方の回転軸を介在させたことを特徴とする窓用外装装置。
【請求項２】
前記ねじりバーにスライド力を付与する操作スライダーは、前記枠面内方向にスライドできるように配置されていることを特徴とする請求項１に記載の窓用外装装置。
【発明の詳細な説明】
【０００１】
【発明の属する技術分野】
この発明は、建物の窓部に固定され、取付けられる窓用外装装置に関する。
【０００２】
【従来の技術】
建物の小窓等には、防犯のための格子が取付けられている場合が多い。
従来の格子は、棒状部材を縦方向及び横方向に組立てて、窓部に固定されたものであり、堅苦しいイメージがつきまとっていた。
格子の配置方法や格子自体の形状に変化を加えることにより、格子の堅苦しいイメージを払拭する工夫が行われている。
【０００３】
しかし、基本的な構成に変化がない以上、格子の堅苦しいイメージを払拭することは困難であった。また、格子では居住者の私生活が覗かれることを防ぎ、プライバシーの保護を図ることが出来なかった。さらに、室内に入って来る日射を建物の外側で排除する、外断熱の効果は上がらなかった。
【０００４】
このような格子のデメリットは、図１４に示したような寸法幅Ｄのルーバー面格子等によって、解消できるが、このルーバー面格子に関しては次のような問題点を指摘できる。
図１５に示したように、スラット１００を開閉させる操作部１０１が枠から突出しているので、窓と装置間に操作用のスペースが必要になる。
また、スラット１００を所定の任意の開閉角度に保持できる機構を備えておらず、開閉角度の調整の自由度が低いものとなっている。
【０００５】
【発明が解決しようとする課題】
そこで、出願人は外断熱、プライバシー保護を図れることの他、窓と装置間に操作用のスペースを取る必要がなく、また、操作性に優れた揺動機構を備えた窓用外装装置を提供することを目的とする
【０００６】
上記課題を解決するため、本願発明の窓用外装装置は、少なくとも１組の複数のスラットが枠面内に配置され、これらのスラットを揺動させる揺動機構を備えると共に、建物の窓部に固定される窓用外装装置において、該揺動機構は、スライド力を回転力に変換させるねじりバーと、該ねじりバーの一端側に取付けられ、且つ、その回転力が伝達される第１の伝達部材と、該第１の伝達部材に取付けられ、且つ、その回転力が伝達されるバー部材と、前記複数のスラットに対応するように、前記バー部材に所定間隔をおいて取付けられ、且つ、そのバー部材の回転力が伝達される第２の伝達部材とからなり、前記ねじりバーは、薄板状の棒材の一端に対する他端の回転角度を所定のねじれ角に形成すると共に、前記ねじりバーの両端をそれぞれ回転軸に固定し、これらの回転軸を軸受けに取付けると共に、前記ねじりバーと前記第１の伝達部材間に一方の回転軸を介在させたことを特徴とする(請求項１に記載の発明)とした。
【０００７】
上記窓用外装装置では、スラットを完全に閉鎖した時には、防犯、防雨、防風の効果、スラットの開放角度（開閉角度）を小さくすれば、プライバシー保護、外断熱の効果を得ることができる。また、スラットの開放角度の大きさに比例するように、通風、換気及び採光が可能となる。
さらに次にような作用効果を奏する。
第１に、スライド力を回転力に変換させるねじりバーを用いるので、スライド力を付与する操作スライダーがコンパクトに枠の面内に納められる。
第２に、スラットを好きな開閉角度に静止させることができ、且つ、その状態でスラットを動かしても、その力が操作スライダーまで伝達され難い。
第３に、ねじりバーのねじれ角を調整することにより、スライド力の付与の強弱、スラットの揺動角度（開閉角度）を調節できる。
【０００８】
上記発明において、前記ねじりバーにスライド力を付与する操作スライダーは、前記枠面内方向にスライドできるように配置されていることを特徴とする（請求項２に記載の発明）。
操作スライダーが枠面内から突出することがないので、窓用外装装置のコンパクト化を図ることができる。
また、操作スライダーは、窓部の開口に臨む位置にあることから、窓用外装装置を建物の窓部に固定する場合には、窓用外装装置の配置が操作スライダーの位置に左右されることなく、取付施工の自由度が高まる。
【０００９】
【発明の実施の形態】
第１実施形態に係る窓用外装装置について、図面を参照しつつ詳細に説明する。
図１は窓用外装装置の室外側正面図、図２は同装置の室内側正面図、図３は図２のＡ―Ａ線断面図、図４は図２のＢ―Ｂ線断面図である。
なお、上記各図及び後述の各図において、同一の構成は同一の符号を用いて詳細な説明を省略する。
【００１０】
前記窓用外装装置（以下、単に装置ともいう）１は、図１及び図２に示したように、上下框１０，１１、左右竪框１２，１３からなる枠の面内に、複数のスラット２をそれぞれ水平方向に配列し、これらのスラット２を揺動させる揺動機構を前記左右竪框１２、１３内及び前記下框１０上方の桟状部１４内に収容している。
そして、前記桟状部１４の上面に沿ってスライドできる操作スライダー１５によって、前記揺動機構を動作させるようにしている。
【００１１】
よって、前記装置１では、前記操作スライダー１５の摘み片をスライドさせるという直線的な操作により、前記揺動機構を動作させているので、操作が単純、且つ、簡単である。
また、前記操作スライダー１５は、前記枠面内方向Ｘにスライドするように配置されているので、その操作スライダー１５が装置１の見込み方向の幅内に納められ、装置１自体を薄く、コンパクトにすることができる。
また、前記操作スライダー１５は、見込み方向の幅内に納められるので、前記操作スライダー１５の位置に制約されることなく、前記装置１を窓に取付けることができ、取付施工の自由度が高まる。
【００１２】
前記上下框１０，１１、左右竪框１２，１３及び桟状部１４は、例えばそれぞれアルミ型材により成形され、組立てられている。
前記桟状部１４の上面１４０には、図３に示したように、前記操作スライダー１５の取付片を臨ませる溝１４１が形成されている。
【００１３】
次に、前記揺動機構の構成例を上記各図、図５に示した揺動機構の拡大図、図６に示した同分解斜視図に基づいて、詳細に説明する。
【００１４】
前記揺動機構は、図５及び図６に示したように、前記操作スライダー１５のスライド力を回転力に変換させるねじりバー３と、そのねじりバー３の回転力をバー部材４に伝達する第１の伝達部材５と、そのバー部材４の回転力を各スラット２に伝達する第２の伝達部材６からなっている。
【００１５】
前記操作スライダー１５は、摘み片１５０とスライダー本体１５１からなり、そのスライダー本体１５１が、前記桟状部１４に設けられたスライド枠１４２（図５）に沿って直線的に滑動できるように配置されている。
前記スライダー本体１５１には、前記ねじりバー３の「ねじれ」に対応するようなねじり状の孔１５２が設けられており、その孔１５２に前記ねじりバー３が挿通されている。
【００１６】
前記スライダー本体１５１の構成例を、その分解図を示した図７に基づいて説明する。
スライダー本体１５１は、本体部１５１ａと、蓋体部１５１ｂと、本体部１５１ａと蓋体部１５１ｂをカシメるカシメ部１５１ｃからなっており、このカシメ部１５１ｃに前記摘み片１５０が固定されている。
前記本体部１５１ａには、２列の孔１５１ｄ、１５１ｄが設けられており、各孔１５１ｄにスプリング１５１ｅ、ボール１５１ｆが嵌めこまれている。
前記本体部１５１ａと蓋体部１５１ｂには、前記ねじり状の孔１５２が設けられているが、この孔１５２に形成されているクリアランスが、前記スプリング１５１ｅにより前記蓋体部１５１ｂに向かって付勢されるボール１５１ｆによって調整されることになり、前記スライダー本体１５１に「ガタ」が生じることなく、スムーズにスライドさせることができる。
なお、前記スライダー本体１５１は、スライド枠１４２に沿って直線的に滑動できるような形状であればどのようなものでもよく、前記スイラダー１５の摘み片１５０の形状も同様に、どのようなものでもよい。
【００１７】
前記ねじりバー３は、薄板状の棒材を所定のねじれ角によって変形させたもので、前記操作スライダー１５の滑動方向に応じて、正転或いは逆転するようになっている。
前記ねじりバー３のねじれ角の大きさ、即ち、そのねじれ角によって形成されるねじりバー３の一端３０に対する他端３１の回転角度は、操作者が前記操作スライダー１５を軽くスライドできて、好みの開閉角度を楽しむことができ、さらに各スラット２の開閉角度の微調整が可能なように成形すればよい。
【００１８】
例えば、図８に示したように、前記ねじりバー３の一端３０から他端３１までの長さＬに対し、他端の回転角度は約２１０度のように成形してもよい。
同じ寸法Ｌにおいて、回転角度を大きく設定すればするほど、スラット２の開閉角度を大きくすることができるが、大きなスライド力を付与しなければならず操作性は重くなる。一方、回転角度を小さく設定すればするほど、スラット２の開閉角度が小さくなり、操作性が軽くなる。
また、同じ回転角度において、ねじりバー３の取付長さを調整することにより、スライドバー１５のスライド幅に応じてスラット２の開閉角度を調整することができる。
【００１９】
この実施形態では、前記ねじりバー３の取付長さは、各スラット２を約９０度の範囲で開閉できるように設定され、ねじりバー３の両端３０、３１が回転軸３２，３２に固定されると共に、これらの回転軸３２，３２がそれぞれ前記スライド枠１４２に固定された軸受３３、３３に取付けられている。
【００２０】
前記回転軸３２は、図６に図示されているように、前記ねじりバー３の端部を固定する固定円柱部３２０と、この固定円柱部３２０より縮径された回転部３２１とからなる。
この回転部３２１には、前記第１の伝達部材５の一端を固定する４角孔３２２が形成されている。
これら固定円柱部３２０と回転部３２１間に形成された段差３２３が前記軸受３３の側面に当接することにより、前記ねじりバー３が変位することなく空転し、回転力のみが前記第１の伝達部材５に伝達されるようになっている。
【００２１】
なお、前記ねじりバー３と第１の伝達部材５間に前記回転軸３２を介在させることにより、ねじりバー３の円滑な回転を図ると共に、ねじれ角の異なるねじりバー３の交換も容易となる。
前記回転軸３２の回転部３２１は、図示しない前記竪框１３に設けられた孔から、その竪框１３の中空部１３０に突出され、前記第１の伝達部材５の一端５０に連結されている。
【００２２】
前記第１の伝達部材５は、竪框１３の中空部１３０に収容され、図３、図６等に示したように、その一端５０がねじりバー３及び回転軸３２と略同一軸上に配置され、前記回転軸３２の四角孔３２２に固定されている。そして前記一端５０を中心にして、他端５１が前記ねじりバー３の回転に応じて回転する。
この第１の伝達部材５は、略小判状に形成されている（図６参照）が、前記一端５０に相当する回転中心部と前記他端５１に相当する回転部を備えていれば、どのような形状でもよい。
【００２３】
前記第１の伝達部材５の他端５１は、前記竪框１３の中空部１３０に沿って配置されているバー部材４の孔４０に空転可能に取付けられている。
【００２４】
前記バー部材４は、前記第１の伝達部材５からの回転に同調させて各スラット２を回転させるもので、各スラット２の配置間隔に応じた孔４１が設けられている（図６参照）。
【００２５】
前記バー部材４の孔４１に対応するように、略ひし形状に成形された第２の伝達部材６が配置されており、この伝達部材６の他端６１は、前記バー部材４の前記各孔４１に空転可能に取付けられている。そして、第２の伝達部材６は、その一端６０を中心にして前記第１の伝達部材５と同調して回転する。
前記一端６０は、後述のスラットホルダ７を介して前記竪框１３に設けられた孔に回転可能に配置されている（図３、図６参照）。
【００２６】
前記スラットホルダ７は、図６に示したように、前記孔を介して竪框１３内に臨む回転軸７０と、この回転軸７０に同軸的に固定され、且つ、竪框１３の外側面に当接する鍔部７１と、前記スラット２の側面に埋込まれる楔部７２からなっている。
【００２７】
なお、図３に図示したように、前記スラット２の他端を回転可能に保持するスラットホルダ７Ａは、前記スラットホルダ７と同様にその楔部７２がスラット２の側面に埋込まれている。
そして、スラットホルダ７Ａが前記竪框１２に設けられた孔に回転可能に配置されている（図３参照）。
【００２８】
次に、前記スラット２の構成例を説明する。
スラット２は、図６に示したように、前記スラットホルダ７の楔部７２を取付ける取付部２０を設けた中空部２１と、この中空部２１の下部から下方に延出された板状部２２からなり、例えばアルミニウム等の金属材料の押出成形によって形成されている。
このスラット２の主な特徴的な点は、スラット２を略水平位置まで回動させた場合、その上部が竪框１２、１３の遮光片１２１、１３１（図参照）と干渉しないような寸法に形成されていること、前記スラットホルダ７の回転軸７０の位置とスラット２の重心が略一致するように、その形状に工夫を加えたこと、及び前記中空部２１の上部室外側に消音部材２３を取付けたことである。
【００２９】
前記遮光片１２１、１３１は次の理由により設けられている。
即ち、竪框１２、１３に開閉可能なスラット２を取付ける場合、スラット両端に僅かな間隙が形成されてしまい、外部からの光、室内側からの光が漏れることになる。
このことは、防犯上好ましくないことから、前記竪框１２、１３に遮光片１２１、１３１形成している。この遮光片１２１、１３１と前記スラット上部との干渉を避けるため、スラット２の中空部２１の寸法が、スラット２の回転中心（前記第２の伝達部材６の一端６０、スラットホルダ７の回転軸７０）から遮光片１２１、１３１までの距離に比べ、短くなるように形成されている。
【００３０】
この場合に、スラット２の重心が前記板状部２２側に偏ると、スラット２の回転が重くなり、快適な操作性を害するおそれがある。
そこで、前記スラット２の中空部２１の内、前記回転中心から遮光片寄りの部分を肉厚、且つ、若干傾斜状に成型し、その重心が前記板状部２２側に偏らないようにしている。その結果、前記スラットホルダ７の回転軸７０の位置とスラット２の重心が略一致し、操作性が向上している。
【００３１】
前記消音部材２３は、例えば塩化ビニールからなるもので、各スラット２を閉じた際に、上下のスラットが当たるときに発生する音を消音すると共に、雨仕舞の機能も発揮する。
【００３２】
次に、上記のように構成された揺動機構の使用例を図９（ａ）〜（ｄ）に基づいて説明する。
図９（ａ）及び（ｂ）は各スラット２が閉じた状態の要部断面図、同図（ｃ）は各スラット２を略４５度に開いた状態の要部断面図、同図（ｄ）は各スラット２を略９０度に開いた状態の要部断面図である。
【００３３】
前記スラット２が図９（ａ）及び（ｂ）に示した閉鎖状態にあるときは、前記操作スライダー１５は同図に示した右端の位置にある。
この位置から前記操作スライダー１５を図面上、左方向にスライドさせると、そのスライド力は、ねじりバー３、回転軸３２、第１の伝達部材５、バー部材４、第２の伝達部材６、スラットホルダ７を介してスラット２に伝達され、各スラット２が前記操作スライダー１５のスライド幅に応じた角度で開放される。
【００３４】
図９（ｃ）のように、前記操作スライダー１５を中間位置まで移動させると、前記スラット２が半開され、同図（ｄ）のように、さらに左端まで前記操作スライダー１５をスライドさせると、スラット２が全開となる。
【００３５】
各スラット２を閉じるときには、前記操作スライダー１５を右側にスライドさせればよい。なお、前記ねじりバー３の「ねじれ」を逆転させれば、右方向へのスライドにより、各スラット２を開くこともできる。
【００３６】
上記各動作において、前記操作スライダー１５を左右にスライドさせることで、各スラット２の開閉を行うので、開閉操作が極めて容易である。
また、前記ねじりバー３のねじれ角を小さくすることにより、小さな力でスライドさせることができる。
また、各スラット２を略９０度の範囲で、好きな角度で固定することができる。この場合、各スラット２の開閉角度を大きくしたいときには、より大きなねじれ角のねじりバーに交換すれば良い。
また、ねじりバー３にはねじれ角が存在するので、スラット２を動かしても、操作スライダー１５はスライドし難く、防犯性に優れている。
特に前記操作スライダー１５が図９（ａ）及び（ｂ）に示した位置にあるときには、スラット２に加えられる力が操作スライダー１５に伝達され難くなっておりスラットの閉鎖状態を確保できるようになっている。
また、ねじりバー３は、その製造コストを安価に押さえることができる。
また、前記左右の竪框１２，１３に遮光片１２１，１３１が形成されているので、この点からも防犯性に優れている。
さらに上述のように、前記操作スライダー１５の摘み片１５０を、前記スライダー本体１５１の本体部１５１ａの上面の上部に取付けて、枠面内方向Ｘに平行となるように配置したので、前記摘み片１５０が前記桟状部１４の上面幅から突出することがなく、装置１のコンパクト化を図ることができる。
【００３７】
上記のように構成された装置は、図１０に示したようにブラケット８を介して小窓９の外側に固定されている。
この場合、前記操作スライダー１５が、前記桟状部１４の上面に配置されているので、装置１と建物躯体間の間隔を任意に取ることが出来る。
【００３８】
この実施形態では、前記操作スライダー１５の摘み片１５０は、前記桟状部１４の室内側上面１４０に臨ませているが、室内側面１４３に臨ませてもよい
前記実施形態においては、前記操作スライダー１５、前記ねじりバー３、前記回転軸３２は、下框１１の上方の桟状部１４に取付けられているが、上框１０の下方に惨状部を取付けて、その内部に前記ねじりバー３等を配置してもよい。
また、桟状部１４を設けずに、前記操作スライダー１５、前記ねじりバー３、前記回転軸３２を前記下框１１内、上框１０内に配置してもよい。
【００３９】
前記回転軸３２の回転方向と直交する方向に運動させる部材を、その回転軸３２と第１の伝達部材５間に介在させることにより、前記操作スライダー１５、前記ねじりバー３及び前記回転軸３２を竪框１２，１３側に配置することもできる。
【００４０】
前記実施形態においては、枠内の略全面にスラットを配置していたが、枠内の上部、中部或いは下部など、所定の領域に限定し、これらのスラットを揺動させる揺動機構を設けてもよい。
また、スラットの配置は水平方向ではなく、垂直方向に配置してもよい。
【００４１】
次に、図１１及び図１２に基づいて、第２実施形態について説明する。
この第２実施形態に係る装置が、第１実施形態に係る装置と異なる点は、前記各スラット２が方立１５を介して左右方向に連続して設けられている点である。
即ち、図１１の図面上、前記装置１と同一構成の装置を右側に設けている。
よって、図１３に示したように、左右の各スラットの揺動角度をそれぞれ相違させることができる。
その他の構成及び効果は、上記第１実施形態と同様であるので、詳細な説明を省略する。
なお、この実施形態では、２組のスラットを取付けているが、３組等、２組に限定されるものではない。
【００４２】
【発明の効果】
請求項１に記載の発明によれば、スラットを完全に閉鎖した時には、防犯、防雨、防風の効果、スラットの開放角度（開閉角度）を小さくすれば、プライバシー保護、外断熱の効果を得ることができる。また、スラットの開放角度の大きさに比例するように、通風、換気及び採光が可能となる。
さらに、スライド力を回転力に変換させるねじりバーを用いるので、スライド力を付与する操作スライダーがコンパクトに枠の面内に納められる。
また、スラットを好きな開閉角度に静止させることができ、且つ、その状態でスラットを動かしても、その力が操作スライダーまで伝達され難い。
また、ねじりバーのねじれ角を調整することにより、スライド力の付与の強弱、スラットの揺動角度（開閉角度）を調節できる。
【００４３】
請求項２に記載の発明によれば、操作スライダーが枠面内から突出することがないので、窓用外装装置のコンパクト化を図ることができる。また、操作スライダーは、窓部の開口に臨む位置にあることから、窓用外装装置を建物の窓部に固定するに際し、操作スライダーの位置に左右されることなく、取付施工の自由度が高まる。
【図面の簡単な説明】
【図１】  第１実施形態に係る窓用外装装置の室外側正面図、
【図２】  同窓用外装装置の室内側正面図、
【図３】  図２に示したＡ―Ａ線断面図、
【図４】  図２に示したＢ―Ｂ線断面図、
【図５】  揺動機構の拡大断面図、
【図６】  同分解斜視図、
【図７】  揺動機構を構成するスライダー本体の分解斜視図、
【図８】  揺動機構を構成するねじりバーの正面図、
【図９】  揺動機構の作用説明図、
【図１０】  窓用外装装置の取付図、
【図１１】  第２実施形態の室外側正面図、
【図１２】  同室内側正面図、
【図１３】  揺動機構の作用説明図、
【図１４】  従来例の正面図、
【図１５】  従来例の要部図。
【符号の説明】
１  窓用外装装置                １０，１１  上下框
１２，１３  左右竪框            １２０  １３０  中空部
１２１  １３１  遮光片
１４    桟状部
１５  操作スライダー
１４０  室内側上面              １４１  溝
１４２  スライド枠              １４３  室内側面
１５０  摘み片                  １５１  スライダー本体
１５２  孔
１６  方立
２  スラット
２０  取付部                    ２１  中空部
２２  板状部                    ２３  消音部材
３  ねじりバー
３０  一端                      ３１  他端
３２  回転軸                    ３３  軸受
３２０  固定円柱部              ３２１  回転部
３２２  ４角孔                  ３２３  段差
４  バー部材
４０  ４１  孔
５  第１の伝達部材              ６  第２の伝達部材
５０  第１の伝達部材の一端      ５１  他端
６０  第２の伝達部材の一端      ６１  他端
７  ７Ａ  スラットホルダ        ７０  回転軸
７１  鍔部                      ７３  楔部
８  ブラケット                  ９  窓部
【図１】
0004810034.tif 000002
【図２】
0004810034.tif 000003
【図３】
0004810034.tif 000004
【図４】
0004810034.tif 000005
【図５】
0004810034.tif 000006
【図６】
0004810034.tif 000007
【図７】
0004810034.tif 000008
【図８】
0004810034.tif 000009
【図９】
0004810034.tif 000010
【図１０】
0004810034.tif 000011
【図１１】
0004810034.tif 000012
【図１２】
0004810034.tif 000013
【図１３】
0004810034.tif 000014
【図１４】
0004810034.tif 000015
【図１５】
0004810034.tif 000016